【事件の表示】
　商願２０１２−４４１６３拒絶査定不服審判事件について、次のとおり審決する。
【結　論】
　原査定を取り消す。
　本願商標は、登録すべきものとする。
【理　由】
１　本願商標
　本願商標は、「ＮＯＯＫ　ＳＩＭＰＬＥ　ＴＯＵＣＨ」の文字を標準文字で表してなり、第９類に属する願書記載のとおりの商品を指定商品として、平成２４年６月１日に登録出願され、指定商品については、審判請求と同時に提出した同２５年６月３日付け手続補正書において、第９類「電子応用機械器具及びその部品，電気通信機械器具，レコード，インターネットを利用して受信し、及び保存することができる音楽ファイル，インターネットを利用して受信し、及び保存することができる画像ファイル，録画済みビデオディスク及びビデオテープ，電子出版物，コンピューター及びコンピューターソフトウェア，電子書籍リーダー・手持ち式コンピュータ・モバイルコンピュータ・タブレットコンピュータを含む、ダウンロード可能な電子出版物を読み、表示し、受取り、購買し、共有し、貸与し、アクセスし、記録するための、電子応用機械器具及びその部品」と補正されたものである。
　
２　原査定の拒絶の理由（要点）
　原査定は、以下（１）及び（２）のとおり認定、判断し、本願を拒絶したものである。
（１）本願商標の指定商品中、「書籍・電子書籍・雑誌・新聞・テキスト・画像・デジタルウェブサイトコンテンツ及び有線・無線のインターネットアクセスを介して音楽を特集したデジタルメディアといったダウンロード可能な電子出版物を読み、表示し、受取り、購買し、共有し、貸与し、アクセスし、記録するための、持ち運び可能な電子機器」等の商品は、その内容及び範囲を明確に指定したものとは認められない。そのため本願は政令で定める商品及び役務の区分に従って商品を指定したものと認めることもできないから、商標法第６条第１項及び第２項の要件を具備しない。
（２）本願商標は、次のアないしカの登録商標と同一又は類似の商標であって同一又は類似の商品に使用するものであるから、商標法第４条第１項第１１号に該当する。
　ア　登録第１６８０４２３号の１商標（以下「引用商標１」という。）は、「ヌック」の文字を横書きしてなり、昭和５５年１１月１７日に登録出願され、第９類に属する商標登録原簿記載のとおりの商品を指定商品として、同５９年４月２０日に設定登録された登録第１６８０４２３号商標について、平成８年８月５日に分割移転登録され、その後、商標権の存続期間の更新登録され、同１７年６月２９日に指定商品を第７類、第９類、第１１類及び第１２類に属する商標登録原簿に記載のとおりの商品とする指定商品の書換登録がされたものである。
　イ　登録第２５４０４８３号の１商標（以下「引用商標２」という。）は、「ヌック」と「ＮＯＯＫ」の文字を上下二段に書してなり、平成２年１月２２日に登録出願され、第９類に属する商標登録原簿記載のとおりの商品を指定商品として、同５年５月３１日に設定登録された登録第２５４０４８３号商標について、同８年８月５日に分割移転登録され、その後、商標権の存続期間の更新登録され、同１７年２月２日に指定商品を第７類、第９類及び第１１類に属する商標登録原簿に記載のとおりの商品とする指定商品の書換登録がされたものである。
　ウ　登録第２５４０４８４号の１商標（以下「引用商標３」という。）は、「ＮＯＯＫ」の文字を横書きしてなり、平成２年１月２２日に登録出願され、第９類に属する商標登録原簿記載のとおりの商品を指定商品として、同５年５月３１日に設定登録された登録第２５４０４８４号商標について、同８年８月５日に分割移転登録され、その後、商標権の存続期間の更新登録され、同１６年１２月１５日に指定商品を第７類、第９類及び第１１類に属する商標登録原簿に記載のとおりの商品とする指定商品の書換登録がされたものである。
　エ　登録第２５４０４８５号の１商標（以下「引用商標４」という。）は、別掲のとおりの構成からなり、平成２年７月２７日に登録出願され、第９類に属する商標登録原簿記載のとおりの商品を指定商品として、同５年５月３１日に設定登録された登録第２５４０４８５号商標について、同８年８月５日に分割移転登録され、その後、商標権の存続期間の更新登録され、同１６年１２月１５日に指定商品を第７類、第９類及び第１１類に属する商標登録原簿に記載のとおりの商品とする指定商品の書換登録がされたものである。
　オ　登録第３１６４１４０号商標（以下「引用商標５」という。）は、「ヌーク」の文字を横書きしてなり、平成５年７月２３日に登録出願され、第２８類に属する商標登録原簿記載のとおりの商品を指定商品として、同８年６月２８日に設定登録され、その後、同１８年９月２６日に商標権の存続期間の更新登録がされたものである。
　カ　登録第４６６９８２１号商標（以下「引用商標６」という。）は、「ＳｉｍｐｌｅＴｏｕｃｈ」の文字を横書きしてなり、平成１４年９月１９日に登録出願され、第９類「配電用又は制御用の機械器具，電気通信機械器具，電子応用機械器具（画像処理装置および液晶表示装置を含む。），トランジスター，電子回路（電子計算機用プログラムを記憶させた電子回路を除く。），電子計算機用プログラム」を指定商品として、同１５年５月９日に設定登録され、その後、同２４年１１月２０日に商標権の存続期間の更新登録がされたものである。
　上記の登録商標は、いずれも現に有効に存続しているものである。
　
３　当審の判断
（１）商標法第６条第１項及び第２項について　
　本願商標の指定商品は、前記１のとおり補正された結果、その内容及び範囲が明確で、かつ、政令で定める商品及び役務の区分に従って指定されたものと認められる。
　その結果、本願商標の指定商品は、商標法第６条第１項及び第２項の要件を具備するものとなった。
（２）商標法第４条第１項第１１号について　
　ア　引用商標１ないし５について
　本願商標の指定商品は、前記１のとおり補正された結果、引用商標１ないし５の指定商品と同一又は類似の商品はすべて削除され、引用商標１ないし５の指定商品と類似しないものとなった。
　イ　本願商標と引用商標６との類否について
　本願商標は、「ＮＯＯＫ　ＳＩＭＰＬＥ　ＴＯＵＣＨ」の文字を標準文字で表してなるところ、構成中「ＮＯＯＫ」の文字は「（部屋などの）隅」等の意味、「ＳＩＭＰＬＥ」の文字は「簡単な」等の意味、「ＴＯＵＣＨ」の文字は「触る」等の意味を有する語であるとしても、構成全体として特定の意味を有さない造語として認識されるものである。
　また、各構成文字は、同書、同大に外観上まとまりよく一体に表されていて、しかも構成文字全体から生ずる「ヌークシンプルタッチ」の称呼も格別冗長であるとはいい難く、よどみなく一連に称呼できるものである。
　そうとすれば、本願商標に接する取引者・需要者が、本願商標から殊更「ＮＯＯＫ」の文字を捨象し、「ＳＩＭＰＬＥ　ＴＯＵＣＨ」の文字部分のみをもって取引に資するとはいえなく、本願商標は、構成全体をもって一体不可分のものと認識し、把握されるものであり、その構成文字全体に相応して、「ヌークシンプルタッチ」の称呼のみを生じ、特定の観念を生じないものと判断するのが相当である。
　してみれば、本願商標が、「ＳＩＭＰＬＥ　ＴＯＵＣＨ」の文字部分も独立して認識されることを前提として、その上で、本願商標と引用商標６とが類似するものとした原査定は、妥当とはいえない。
（３）以上のとおり、本願商標の指定商品は、商標法第６条第１項及び第２項の要件を具備するものであり、かつ、本願商標は、同法第４条第１項第１１号に該当しないものであるから、これらを理由として本願を拒絶した原査定は妥当でなく、取消しを免れない。
　その他、本願について拒絶の理由を発見しない。
　よって、結論のとおり審決する。